(57)【要約】【課題】肌への密着性に優れるアイマスク、フェイスマスク及び貼り付け材を提供すること、及び、粘着剤を含まなくても肌に固定・密着できる装着材を提供することを目的とする。【解決手段】眼及び眼の周辺を覆う本体部と、装着時に耳に掛けられる耳掛け部とを有するアイマスクであって、伸縮性不織布を含む部位を少なくとも一部に有するアイマスク、顔を覆う形状の本体部を有するフェイスマスクであって、伸縮性不織布を含む部位を少なくとも一部に有するフェイスマスク、伸縮性不織布を含む基材層と、前記基材層上に設けられた機能性層と、を有し、装着時に筒状である装着材、及び、伸縮性不織布を含む基材層を有する貼り付け材。【選択図】図１
2019047910.tif 000002
【特許請求の範囲】
【請求項１】
眼及び眼の周辺を覆う本体部と、装着時に耳に掛けられる耳掛け部とを有するアイマスクであって、伸縮性不織布を含む部位を少なくとも一部に有するアイマスク。
【請求項２】
前記伸縮性不織布を含む部位が耳掛け部である、請求項１に記載のアイマスク。
【請求項３】
前記伸縮性不織布を含む部位が本体部である、請求項１又は請求項２に記載のアイマスク。
【請求項４】
前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、請求項１〜請求項３のいずれか１項に記載のアイマスク。
【請求項５】
前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、請求項４に記載のアイマスク。
【請求項６】
顔を覆う形状の本体部を有するフェイスマスクであって、伸縮性不織布を含む部位を少なくとも一部に有するフェイスマスク。
【請求項７】
伸縮性不織布を含む部位が本体部である、請求項６に記載のフェイスマスク。
【請求項８】
伸縮性不織布を含む部位が装着時に耳に掛けられる耳掛け部である、請求項６又は請求項７に記載のフェイスマスク。
【請求項９】
前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、請求項６〜請求項８のいずれか１項に記載のフェイスマスク。
【請求項１０】
前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、請求項９に記載のフェイスマスク。
【請求項１１】
伸縮性不織布を含む基材層と、前記基材層上に設けられた機能性層と、を有し、装着時に筒状である装着材。
【請求項１２】
前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、請求項１１に記載の装着材。
【請求項１３】
前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、請求項１２に記載の装着材。
【請求項１４】
伸縮性不織布を含む基材層を有する貼り付け材。
【請求項１５】
前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、請求項１４に記載の貼り付け材。
【請求項１６】
前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、請求項１５に記載の貼り付け材。
【発明の詳細な説明】
【技術分野】
【０００１】
本発明は、アイマスク、フェイスマスク、装着材及び貼り付け材に関する。
【背景技術】
【０００２】
近年、アイマスク、フェイスマスクのような肌に装着して使用する美容用や医療用の物品の使用が増加している。
アイマスクは、単純に眼を保護するために用いるものから、眼の疲労を改善するために用いるものまで幅広く利用されている。
フェイスマスクは、美容分野において保湿剤や乳液などを顔の皮膚に届けるなどして、顔の美容を向上させるために利用されている。
また、肌に装着して使用する物品として、アイマスクやフェイスマスクの他にも、貼付剤及び創傷被覆材などの粘着力で肌に貼付して使用する物品（以下「貼り付け材」ともいう。）が利用されている。これらの物品は、肌に薬効成分を届けたり、肌を保護したりするために利用されている。
アイマスク、フェイスマスク及び貼り付け材は、使用時に肌に装着され、使用後には肌から脱着され、廃棄されることが多い。このため、アイマスク、フェイスマスク、装着材及び貼り付け材の材料として、比較的安価である不織布が使用される傾向にある。
【０００３】
例えば特許文献１には、不織布製のアイマスクが記載されている。特許文献２には、不織布製の美容用のパックシート（フェイスマスク）が記載されている。
【先行技術文献】
【特許文献】
【０００４】
【特許文献１】特開２０１１−１６１２１９
【特許文献２】特開２０１１−１７２７３２
【発明の概要】
【発明が解決しようとする課題】
【０００５】
使用時における効能を十分に発揮するために、アイマスク、フェイスマスク及び貼り付け材は、肌に密着する必要がある。しかし、肌は凹凸や局面を有しているため、従来のものでは肌への密着が十分ではなく、使用感に劣る場合があった。
そこで、本発明では、肌への密着性に優れるアイマスク、フェイスマスク及び貼り付け材を提供することを目的とする。
また、従来の貼り付け材は、粘着剤の粘着力で肌に貼付されているため、肌への刺激が強いという問題あった。
そこで、本発明では、粘着剤を含まなくても肌に固定・密着できる装着材を提供することを目的とする。
【課題を解決するための手段】
【０００６】
上記目的を達成するために、本発明には以下の態様が含まれる。
【０００７】
＜１＞  眼及び眼の周辺を覆う本体部と、装着時に耳に掛けられる耳掛け部とを有するアイマスクであって、伸縮性不織布を含む部位を少なくとも一部に有するアイマスク。
＜２＞  前記伸縮性不織布を含む部位が耳掛け部である、＜１＞に記載のアイマスク。
＜３＞  前記伸縮性不織布を含む部位が本体部である、＜１＞又は＜２＞に記載のアイマスク。
＜４＞  前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、＜１＞〜＜３＞のいずれか１つに記載のアイマスク。
＜５＞  前記伸縮性繊維Ａが、熱可塑性ポリウレタンエラストマー及び低結晶性ポリオレフィンから選ばれる少なくとも１種を含み、前記伸長性繊維Ｂが、高結晶性ポリオレフィンを含む、＜４＞に記載のアイマスク。
【０００８】
＜６＞  顔を覆う形状の本体部を有するフェイスマスクであって、伸縮性不織布を含む部位を少なくとも一部に有するフェイスマスク。
＜７＞  伸縮性不織布を含む部位が本体部である、＜６＞に記載のフェイスマスク。
＜８＞  伸縮性不織布を含む部位が装着時に耳に掛けられる耳掛け部である、＜６＞又は＜７＞に記載のフェイスマスク。
＜９＞  前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、＜６＞〜＜８＞のいずれか１つに記載のフェイスマスク。
＜１０＞  前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、＜９＞に記載のフェイスマスク。
【０００９】
＜１１＞  伸縮性不織布を含む基材層と、前記基材層上に設けられた機能性層と、を有し、装着時に筒状である装着材。
＜１２＞  前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、＜１１＞に記載の装着材。
＜１３＞  前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、＜１２＞に記載の装着材。
【００１０】
＜１４＞  伸縮性不織布を含む基材層を有する貼り付け材。
＜１５＞  前記伸縮性不織布が、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布である、＜１４＞に記載の貼り付け材。
＜１６＞  前記伸縮性繊維Ａが、熱可塑性ポリウレタンエラストマー及び低結晶性ポリオレフィンから選ばれる少なくとも１種を含み、
前記伸長性繊維Ｂが、高結晶性ポリオレフィンを含む、＜１５＞に記載の貼り付け材。
【発明の効果】
【００１１】
本発明によれば、肌への密着性に優れるアイマスク、フェイスマスク及び貼り付け材が提供できる。
また、本発明によれば、粘着剤を含まなくても肌に固定・密着できる装着材が提供できる。
【図面の簡単な説明】
【００１２】
【図１】アイマスクの第一の実施形態を示す平面図である。
【図２】アイマスクの第二の実施形態を示す平面図である。
【図３】アイマスクの第三の実施形態を示す平面図である。
【図４ａ】耳掛け部を有しないフェイスマスクの第一の実施形態を示す平面図である。
【図４ｂ】耳掛け部を有するフェイスマスクの第一の実施形態を示す平面図である。
【図５】フェイスマスクの第二の実施形態を示す平面図である。
【図６】フェイスマスクの第三の実施形態を示す平面図である。
【図７ａ】第一の実施形態の装着材の非装着時の状態を示す斜視図である。
【図７ｂ】第一の実施形態の装着材の環の中心に対して機能性層とは反対側の位置で基材層を切断したときの平面図である。
【図７ｃ】第一の実施形態の装着材の装着時の状態を示す模式図である。
【図８ａ】第二の実施形態の装着材の非装着時の状態を示す平面図である。
【図８ｂ】第二の実施形態の装着材の装着時の状態を示す模式図である
【発明を実施するための形態】
【００１３】
＜伸縮性不織布＞
本発明のアイマスク、フェイスマスク、装着材及び貼り付け材を形成する不織布は、伸縮性不織布である。そのため、アイマスク、フェイスマスク、装着材及び貼り付け材としたときに肌に密着し、使用感に優れる。
【００１４】
本発明において伸縮性不織布とは、１００％伸長後の残留歪みが通常５０％以下、好ましくは３５％以下、さらに好ましくは３０％以下の不織布をいう。
【００１５】
１００％伸長後の残留歪みは、次の方法によって測定される値である。
不織布から、流れ方向（ＭＤ）が２００ｍｍ、横方向（ＣＤ）が５０ｍｍの試験片を５枚採取する。この試験片について、定速伸長型引張り試験機を用いて、チャック間１００ｍｍ、引張速度１００ｍｍ／分、延伸倍率１００％の条件で延伸した後、直ちに同じ速度で原長まで回復させる。さらに直ちに同じ速度で延伸倍率１００％の条件で延伸した後、直ちに同じ速度で原長まで回復させて、回復時の歪みを測定する。５枚の不織布積層体についての平均値を１００％伸長後の残留歪み（単位：％）とする。
【００１６】
本発明のアイマスク、フェイスマスク、装着材及び貼り付け材における伸縮性不織布としては、伸縮性繊維Ａと伸長性繊維Ｂとの混合繊維若しくは複合繊維を含む伸縮性不織布、又は伸縮性繊維Ａを含む不織布と伸長性繊維Ｂを含む不織布とを積層した多層の伸縮性不織布であることが好ましい。
【００１７】
伸縮性繊維Ａと伸長性繊維Ｂとの混合繊維若しくは複合繊維を含む伸縮性不織布、及び、伸縮性繊維Ａを含む不織布と伸長性繊維Ｂを含む伸縮性不織布とを積層した多層の不織布は、例えば延伸加工を施すことで上述の残留歪みが低下し、伸縮性がより向上する。そのため、これらの伸縮性不織布としては、延伸加工された伸縮性不織布であることが好ましい。延伸加工は、公知の方法で実施できる。公知の方法としては、例えば、国際公開第２００４／０６５６８０や国際公開第２０１２／０７０５１８に記載されている方法が挙げられる。
【００１８】
伸縮性繊維Ａとしては、熱可塑性ポリウレタンエラストマー及び低結晶ポリオレフィンから選ばれる少なくとも１種を含むことが好ましく、伸長性繊維Ｂとしては、高結晶性ポリオレフィンを含むことが好ましい。
また、伸縮性繊維Ａが、熱可塑性ポリウレタンエラストマー及び低結晶性ポリオレフィンから選ばれる少なくとも１種であることがより好ましく、伸長性繊維Ｂが、高結晶性ポリオレフィンであることがより好ましい。
ここで、低結晶性とは融点が０℃〜１２０℃であることをいい、高結晶性とは融点が１２０℃を越えることをいう。
【００１９】
本発明に用いられる熱可塑性ポリウレタンエラストマー（以下、「ＴＰＵ」ともいう）は、特定範囲の凝固開始温度及び極性溶媒不溶分量を有することが好ましい。
具体的には、示差走査熱量計（ＤＳＣ）により測定される凝固開始温度が６５℃以上であり、細孔電気抵抗法に基づく粒度分布測定装置に１００μｍのアパーチャ一を装着して測定される極性溶媒不溶分の粒子数が３００万個／ｇ以下である熱可塑性ポリウレタンエラストマーが好ましい。
【００２０】
ＴＰＵの凝固開始温度は、示差走査熱量計（ＤＳＣ）を用いて測定される値であり、ＴＰＵを１０℃／分で２３０℃まで昇温し、２３０℃で５分間保持した後、１０℃／分で降温させる際に生じるＴＰＵの凝固に由来する発熱ピークの開始温度である。
ＴＰＵの凝固開始温度は、ＴＰＵの原料として使用するイソシアネート化合物と鎖延長剤との合計量を適切な範囲に保つことで調整できる。
凝固開始温度の測定方法及び調整方法の詳細は、国際公開第２００４／０６５６８０に記載されている。
【００２１】
ＴＰＵの極性溶媒不溶分量は、ポリオール、イソシアネート化合物及び鎖延長剤の重合反応を行った後、ろ過することにより得られる。
極性溶媒不溶分量の測定方法及び調整方法の詳細は、国際公開第２００４／０６５６８０に記載されている。
【００２２】
本発明に用いられる低結晶性ポリオレフィンとしては、例えば、エチレン、プロピレン、１−ブテン、１−ヘキセン、４−メチル−１−ペンテン及び１−オクテン等のα−オレフィンの単独若しくは共重合体のうち、融点が０℃〜１２０℃のものが挙げられる。これらの中でもポリプロピレンが好ましい。
【００２３】
本発明に用いられる低結晶性ポリオレフィンは、下記（ａ）〜（ｆ）を満たすことが好ましい。
（ａ）［ｍｍｍｍ］＝２０〜６０モル％
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００〜２００，０００
（ｆ）分子量分布（Ｍｗ／Ｍｎ）＜４
【００２４】
ここで、メソペンタッド分率［ｍｍｍｍ］、ラセミペンタッド分率［ｒｒｒｒ］及びラセミメソラセミメソペンダッド分率［ｒｍｒｍ］は、「Ｍａｃｒｏｍｏｌｅｃｕｌｅｓ，６，９２５（１９７３）」で提案された方法に準拠し、１３Ｃ−ＮＭＲスペクトルのメチル基のシグナルにより測定されるポリプロピレン分子鎖中のペンタッド単位でのメソ分率、ラセミ分率、及びラセミメソラセミメソ分率である。トリアッド分率［ｍｍ］、［ｒｒ］及び［ｍｒ］も上記方法により測定できる。詳細は、国際公開第２０１２／０７０５１８に記載されている。
【００２５】
重量平均分子量（Ｍｗ）は、ゲルパーミエイションクロマトグラフィ（ＧＰＣ）法により測定したポリスチレン換算の重量平均分子量であり、分子量分布（Ｍｗ／Ｍｎ）は、同様にして測定した数平均分子量（Ｍｎ）及び上記重量平均分子量（Ｍｗ）より算出した値である。
測定条件などの詳細は、国際公開第２０１２／０７０５１８に記載されている。
【００２６】
高結晶性ポリオレフィンとしては、例えば、エチレン、プロピレン、１−ブテン、１−ヘキセン、４−メチル−１−ペンテン及び１−オクテン等のα−オレフィンの単独若しくは共重合体のうち、融点が１２０℃を越えるものが挙げられる。これらの中でもポリプロピレン、高密度ポリエチレンから選ばれる少なくとも１種が好ましい。
【００２７】
繊維形状としては、複合繊維又は混合繊維が好ましく、混合繊維がより好ましい。
【００２８】
伸縮性不織布の製造方法としては、公知のスパンボンド法やメルトブロー法が用いられ、スパンボンド法が好ましく用いられる。
【００２９】
伸縮性繊維Ａが熱可塑性ポリウレタンエラストマーであり、伸長性繊維Ｂが高結晶性ポリプロピレン又は高結晶性ポリエチレンである混合繊維又は複合繊維タイプの伸縮性不織布としては、例えば、国際公開第２００４／０６５６８０や国際公開第２００４／０６５６７９に記載されている伸縮性不織布が好ましく用いられる。
【００３０】
伸縮性繊維Ａが低結晶性ポリプロピレンであり、伸長性繊維Ｂが高結晶性ポリプロピレンである混合繊維又は複合繊維タイプの伸縮性不織布としては、例えば、特開２００９−６２６６７に記載されている弾性不織布が好ましく用いられる。
【００３１】
伸縮性繊維Ａが低結晶性ポリプロピレンであり、伸長性繊維Ｂが高結晶性ポリプロピレンであり、伸縮性繊維Ａを含む不織布と伸長性繊維Ｂを含む不織布とを積層した多層の伸縮性不織布としては、例えば、国際公開第２０１２／０７０５１８に記載されている不織布積層体が好ましく用いられる。
【００３２】
＜＜アイマスク＞＞
以下、本発明のアイマスクについて詳細に説明する。
本明細書において「アイマスク」とは、眼及び眼の周辺を覆う物品を意味する。
【００３３】
本発明のアイマスクは、眼及び眼の周辺を覆う本体部と、装着時に耳に掛けられる耳掛け部とを有するアイマスクであって、伸縮性不織布を含む部位を少なくとも一部に有するアイマスクである。
伸縮性不織布としては、前述の伸縮性不織布が好ましく用いられる。
【００３４】
本発明のアイマスクは、少なくとも、眼及び眼の周辺を覆う本体部と、装着時に耳に掛けられる耳掛け部とを有していればよい。
本体部の形状は、眼及び眼の周辺を覆うことができれば、制限されない。本体部の形状としては、例えば、片目を覆う楕円２つが結合されており、結合部は鼻背が露出されるように形成された形状が挙げられる。
耳掛け部の形状は、耳に掛けることができれば、制限されない。耳掛け部の形状としては、例えば、耳を通す部分に切れ込みがついた楕円形状が挙げられる。
【００３５】
本発明のアイマスクは、伸縮性不織布を含む部位を少なくとも一部に含む。伸縮性不織布を含む部位は、本体部であってもよいし、耳掛け部であってもよい。また、本体部及び耳掛け部であってもよい。
本発明のアイマスクは、伸縮性不織布を含む部位を少なくとも一部に含むため、密着性に優れ、使用感に優れる。
伸縮性不織布を含む部位が耳掛け部であると、耳掛け部の塑性変形（伸び）による密着性の低下を軽減できるため好ましい。
【００３６】
本発明のアイマスクにおいて、伸縮性不織布を含む部位とは、その部位の層のうち少なくとも１つの層に伸縮性不織布が用いられることを意味する。
すなわち、伸縮性不織布を含む部位は、伸縮性不織布単層体であってもよいし、伸縮性不織布と他の不織布との積層体であってもよいし、伸縮性不織布とプラスチックフィルムとの積層体であってもよい。
【００３７】
本発明のアイマスクの本体部は、香料や薬液などの機能性成分や、蒸気発生装置、冷却装置、加温装置などの機能性装置を含んでいてもよい。
機能性成分は、例えば伸縮性不織布に含浸されていてもよいし、コットンなどの他の部材に含浸されていてもよい。
本体部に機能性成分や機能性装置を含む場合、本発明のアイマスクは、密着性に優れるため、機能性成分や機能性装置の効能が得られやすい。
【００３８】
本発明のアイマスクにおいて、伸縮性不織布を含む部位以外の部位は、アイマスクにおいて公知の素材を用いることができる。このような公知の素材としては、例えば、本発明における伸縮性不織布以外の不織布（以下、「非伸縮性不織布」ともいう。）、コットン、プラスチックフィルム及びシリコーンフィルムなどが挙げられる。
非伸縮性不織布としては、例えば、スパンボンド不織布、メルトブローン不織布、湿式不織布、乾式不織布、乾式パルプ不織布、フラッシュ紡糸不織布、開繊不織布等、種々公知の不織布であって、前述の１００％残留歪みが５０％を超えるものが挙げられる。
【００３９】
本発明のアイマスクの実施形態を、図を用いて説明する。なお、本発明は以下の実施形態に限定されるものではない。
【００４０】
＜第一の実施形態＞
本発明のアイマスクの第一の実施形態を、図１を用いて説明する。
第一の実施形態のアイマスク１０は、本体部１１及び耳掛け部１２を有しており、本体部１１及び耳掛け部１２が伸縮性不織布で形成されている。また、耳掛け部１２には、耳にかけるための切り込み１３が設けられている。図１では、切り込み１３を拡げた状態を示している。
第一の実施形態のアイマスク１０は、アイマスク全体が伸縮性不織布で形成されている。そのため、アイマスク全体が肌に密着できる。そのため、眼周辺及び耳周辺の密着性に優れ、使用感に優れる。
また、耳掛け部１２は、耳に掛ける際に引き伸ばされ、引き伸ばされた状態で装着される。第一の実施形態においては、耳掛け部１２が伸縮性不織布で形成されているため、装着後も塑性変形（伸び）しにくく、密着性の低下を軽減できる。
【００４１】
＜第二の実施形態＞
本発明のアイマスクの第二の実施形態を、図２を用いて説明する。
第二の実施形態のアイマスク２０は、本体部２１及び耳掛け部２２を有しており、耳掛け部２２が伸縮性不織布で形成されている。また、耳掛け部２２には、耳にかけるための切り込み２３が設けられている。図２では、切り込み２３を拡げた状態を示している。
第二の実施形態のアイマスク２０は、耳掛け部２２が伸縮性不織布で形成されている。そのため、耳周辺の密着性に優れ、使用感に優れる。
また、装着後も塑性変形（伸び）しにくく、密着性の低下を軽減できる。
第二の実施形態のアイマスク２０の本体部２１は、非伸縮性不織布で形成されている。
【００４２】
＜第三の実施形態＞
本発明のアイマスクの第三の実施形態を、図３を用いて説明する。
第三の実施形態のアイマスク３０は、本体部３１及び耳掛け部３２を有しており、本体部３１が伸縮性不織布で形成されている。
第三の実施形態のアイマスク３０の耳掛け部３２は、非伸縮性不織布で形成されている。また、耳掛け部３２には、耳にかけるための切り込み３３が設けられている。図３では、切り込み３３を拡げた状態を示している。そのため、眼周辺の密着性に優れ、使用感に優れる。
【００４３】
＜＜フェイスマスク＞＞
以下、本発明のフェイスマスクについて詳細に説明する。
本明細書において「フェイスマスク」とは、美容用に用いられる顔全体を覆う物品を意味する。
【００４４】
本発明のフェイスマスクは、顔を覆う形状の本体部を有するフェイスマスクであって、伸縮性不織布を含む部位を少なくとも一部に有するフェイスマスクである。
伸縮性不織布としては、前述の伸縮性不織布が好ましく用いられる。
【００４５】
本発明のフェイスマスクの形状としては、特に制限されないが、例えば、眼、鼻、口の部分に切れ込みがあり、装着時に眼、鼻、口を露出しつつ顔全体を覆う形状が挙げられる。なお、顔全体とは、顔の周辺部を含まない顔の略全体であってもよい。
【００４６】
本発明のフェイスマスクは、上記の用に顔全体を覆う部分（以下、「本体部」ともいう。）のみからなるフェイスマスクであってもよい。
また、本発明のフェイスマスクは、装着時に耳にかけられる耳掛け部、装着時に顎下を覆う顎下部及び装着時に首を覆う首部からなる群より選択される少なくとも１つの部分を有していても良い。
【００４７】
本発明のフェイスマスクは、伸縮性不織布を含む部位を少なくとも一部に含む。ため、本発明のフェイスマスクは密着性に優れる。これにより、本発明のフェイスマスクは、使用時の効能が発揮されやすく、かつ、使用感に優れる。
【００４８】
伸縮性不織布を含む部位は、本体部、耳掛け部、顎下部及び首部のいずれであってもよい。また、複数の部位が伸縮性不織布を含んでもよい。
伸縮性不織布を含む部位が耳掛け部であると、耳掛け部の塑性変形（伸び）による密着性の低下を軽減できるため好ましい。
伸縮性不織布を含む部位が本体部であると、リフトアップ効果が期待できるため好ましい。
伸縮性不織布を含む部位が耳掛け部及び本体部であると、耳掛け部の塑性変形（伸び）による密着性の低下を軽減でき、かつ、リフトアップ効果が期待できるため好ましい。
【００４９】
本発明のフェイスマスクにおいて、伸縮性不織布を含む部位とは、その部位の層のうち少なくとも１つの層に伸縮性不織布が用いられることを意味する。
すなわち、伸縮性不織布を含む部位は、伸縮性不織布単層体であってもよいし、伸縮性不織布と他の不織布との積層体であってもよいし、伸縮性不織布とプラスチックフィルムとの積層体であってもよい。
【００５０】
本発明のフェイスマスクの本体部は、香料や薬液などの機能性成分を含むことが好ましい。
機能性成分は、例えば伸縮性不織布に含浸されていてもよいし、コットンなどの他の部材に含浸されていてもよい。
本発明のフェイスマスクは、密着性に優れるため、機能性成分の効能が得られやすい。
【００５１】
本発明のフェイスマスクにおいて、伸縮性不織布を含む部位以外の部位は、フェイスマスクにおいて公知の素材を用いることができる。このような公知の素材としては、例えば、非伸縮性不織布、コットン、プラスチックフィルム及びシリコーンフィルムなどが挙げられる。
非伸縮性不織布としては、例えば、スパンボンド不織布、メルトブローン不織布、湿式不織布、乾式不織布、乾式パルプ不織布、フラッシュ紡糸不織布、開繊不織布等、種々公知の不織布であって、前述の１００％残留歪みが５０％を超えるものが挙げられる。
【００５２】
本発明のフェイスマスクの実施形態を、図を用いて説明する。なお、本発明は以下の実施形態に限定されるものではない。
【００５３】
＜第一の実施形態＞
本発明のフェイスマスクの第一の実施形態を、図４ａ及び図４ｂを用いて説明する。
図４ａは、耳掛け部を有しないフェイスマスク４０であり、図４ｂは耳掛け部を有するフェイスマスク５０である。
図４ａの耳掛け部を有しないフェイスマスク４０は、本体部４１と、本体部に設けられた眼を露出するための二つの切り抜き部（眼部）４２と、口を露出するための切抜き部（口部）４３とを有している。
図４ｂの耳掛け部を有するフェイスマスク５０は、本体部５１と、二つの眼部５２と、口部５３と、耳掛け部５４とを有している。
第一の実施形態のフェイスマスク４０及び５０は、全体が伸縮性不織布で形成されている。フェイスマスク全体が伸縮性不織布で形成されているため、フェイスマスク全体が肌に密着し、使用感に優れると共にリフトアップ効果を期待できる。
また、耳掛け部５４は、耳に掛ける際に引き伸ばされ、引き伸ばされた状態で装着される。第一の実施形態においては、耳掛け部が伸縮性不織布で形成されているため、装着後も塑性変形（伸び）しにくく、密着性の低下を軽減できる。
【００５４】
＜第二の実施形態＞
本発明のフェイスマスクの第二の実施形態を、図５を用いて説明する。
第二の実施形態のフェイスマスク６０は、本体部６１と、二つの眼部６２と、口部６３と、耳掛け部６４とを有している。
第二の実施形態のフェイスマスクは、耳掛け部６４が伸縮性不織布で形成されている。そのため、耳周辺の密着性に優れ、使用感に優れる。
また、装着後も塑性変形（伸び）しにくく、密着性の低下を軽減できる。
第二の実施形態のフェイスマスク６０の本体部６１は、コットンで形成されている。
【００５５】
＜第三の実施形態＞
本発明のフェイスマスクの第三の実施形態を、図６を用いて説明する。
第三の実施形態のフェイスマスク７０は、本体部７１と、二つの眼部７２と、口部７３と、耳掛け部７４とを有している。
第三の実施形態フェイスマスクは、本体部が伸縮性不織布で形成されている。そのため、本体部の密着性に優れ、使用感に優れている。
第三の実施形態のフェイスマスク７０の耳掛け部７４は、非伸縮性不織布で形成されている。
【００５６】
＜＜装着材＞＞
以下、装着材について詳細に説明する。
本明細書において「装着材」とは、略全面が伸縮性を有しており、伸縮力によって肌に固定・密着して装着される物品を意味する。
なお、略全面とは、例えば伸縮力を有さない装飾部材を有してよいことを意味する。
【００５７】
本発明の装着材は、伸縮性不織布を含む基材層と、前記基材層上に設けられた機能性層と、を有し、装着時に筒状である。
本発明の装着材は、上記の構成であるため、粘着剤を用いずに肌に固定・密着でき、肌への刺激が少ない。また、本発明の装着材は、肌への密着性に優れるため、使用感に優れる。
本発明の装着材において装着時に筒状であるとは、装着時に筒状である部分が１つ以上あることを意味し、装着字に筒状である部分が２つ以上ある態様も含まれる。
【００５８】
本発明の装着材は、肌に密着する側から平面視したときの形状が、略中央に機能性層が形成されており、機能性層の周囲又は左右両端に基材層が形成されている。なお、本発明の装着材が筒状である場合、平面視したときの形状とは、装着材の環の中心に対して機能性層とは反対側の位置で基材層を切断して平面視したときの形状である。
【００５９】
本発明における基材層は、伸縮性不織布を含んでいれば、特に制限されない。伸縮性不織布としては、前述の伸縮性不織布が好ましく用いられる。
本発明における基材層は、本発明の装着材を肌に密着する側と反対側から平面視したときの形状が、本発明の装着材と略同様であることが好ましい。このような構成とすることで、本発明の装着材は、基材層の伸縮力が十分に発揮され、より密着性に優れ、使用感に優れる。
【００６０】
本発明における機能性層は、生体に対して何らかの機能を有している層である。機能としては、例えば、冷感機能、温感機能、保湿機能、創傷保護機能、血行促進機能、鎮痛機能、消炎機能、抗炎症機能など、公知の機能が挙げられる。
機能性層は、基材層上に１つ設けられていても良く、基材層上に分離して２つ以上設けられていても良い。
【００６１】
機能性層に機能を付与する手段としては、特に制限されないが、例えば機能性を有する薬剤を高分子化合物などと共に層状にして機能性層を形成する方法、磁石などの固体を基材層に貼り付けて機能性層を形成する方法など、公知の方法が挙げられる。
【００６２】
機能性層が含む薬剤としては、例えば、冷感剤、温感剤、消炎鎮痛剤、抗炎症剤、血管拡張剤、不整脈用剤、血圧降下剤、鎮該去痰剤、抗悪性腫瘍剤、局所麻酔剤、ホルモン剤、抗ヒスタミン剤などの公知の薬剤が挙げられる。
【００６３】
また、機能性層は、粘着剤、粘着付与剤、吸収促進剤、抗酸化剤、充填剤、架橋剤、防腐剤、紫外線吸収剤、界面活性剤、ｐＨ調整剤、色素及び香料などを含んでいてもよい。
【００６４】
本発明における機能性層は、貼付剤における公知の膏体層（粘着層）と比べ、粘着剤を含まなくてもよい。これは、基材層が伸縮性不織布を含んでいるため、粘着剤を含まなくても皮膚に固定・密着できるためである。このため、本発明の装着材は、従来の粘着層を有する貼付剤に比べ、皮膚への刺激を少なくできる。
【００６５】
本発明における機能性層は、装着して使用するまでの間、剥離層で保護されていてもよい。剥離層は、機能性層を被覆して保護するための層であり、使用時に剥離される。
剥離層の材質は、例えば、無延伸ポリプロピレン（ＣＰＰ）、延伸ポリプロピレン（ＯＰＰ）、ポリエチレンテレフタレート（ＰＥＴ）、ポリブチレンテレフタレート（ＰＢＴ）、ポリエチレン、ポリエステル、ポリウレタン、ポリ塩化ビニル及びポリスチレンなどのプラスチックフィルム、合成樹脂、合成紙及び合成繊維などのシリコーン加工したシリコーン加工紙、アルミ箔、クラフト紙にポリエチレンなどをラミネートしたラミネート加工紙などが挙げられる。
【００６６】
本発明の装着材の非装着時の形状は、装着時に筒状に形成できれば特に限定されない。本発明の装着材の非装着事の形状としては、例えば四角形状や筒状などが挙げられる。
【００６７】
本発明の装着材の非装着時の形状が筒状でない場合、装着材の両端に装着材を筒状に固定できる固定部が設けられることが好ましい。
【００６８】
本発明おける固定部は、装着材を筒状に固定する部位である。そのため、固定部は、装着材を筒状に固定できれば制限されない。固定部としては、例えば、マジックテープ（登録商標）から形成された固定部、ホックを有する固定部及びジッパーを有する固定部などが挙げられる。
【００６９】
本発明の装着材において、装着部位は特に限定されない。装着部位としては、例えば、手、足、首、腰、肩及び指などが挙げられる。
【００７０】
本発明の装着材の実施形態を、図を用いて説明する。なお、本発明は以下の実施形態に限定されるものではない。
【００７１】
＜第一の実施形態＞
本発明の装着材の第一の実施形態を、図７ａ〜図７ｃを用いて説明する。
図７ａは、非装着時の状態を示す斜視図である。第一の実施形態の装着材８０は、全体が筒状に形成されている。また、最外層の基材層８１が筒状に形成されており、基材層８１の内側の筒高方向略中央に機能性層８２が形成されている。
図７ｂは、図７ａにおいて、第一の実施形態の装着材の環の中心に対して機能性層９２とは反対側の位置で基材層９１を切断したときの装着材９０の平面図である。図７ｃは、装着材１００を人体の腰部１０３に装着した時の状態を示す模式図である。第一の実施形態の装着材１００では、基材層１０１の伸縮力により、機能性層１０２が肌に密着して装着されている。
＜第二の実施形態＞
本発明の装着材の第二の実施形態を、図８ａ及び図８ｂを用いて説明する。
図８ａは、非装着時の状態を示す平面図である。第二の実施形態の装着材１１０は、四角形状に形成されている。最外層の基材層１１１が四角形状に形成されており、基材層１１１の長手方向及び幅方向の略中央に機能性層１１２が形成されており、基材層の両端にマジックテープ（登録商標）からなる固定部１１３が形成されている。
図８ｂは、装着材１２０を人体の腰部１２４に装着した時の状態を示す模式図である。第二の実施形態の装着材１２０では、固定部１２３により筒状に形成され、基材層１２１の伸縮力により、機能性層１２２が肌に密着して装着されている。
【００７２】
＜＜貼り付け材＞＞
以下、貼り付け材について詳細に説明する。
本明細書において「貼り付け材」とは、消炎鎮痛などの医療目的又は創傷被覆を目的として、粘着力で肌に貼付され使用される物品を意味する。
【００７３】
本発明の貼り付け材は、伸縮性不織布を含む基材層を有する貼り付け剤である。
本発明の貼り付け材は、基材層に伸縮性があるため、密着性に優れ、使用感に優れる。また、本発明の貼り付け材は、装着部位の動きに追従して伸縮できるため、意図せぬ剥離が生じにくい。
【００７４】
貼り付け材の形状は、目的を達成できれば特に制限されない。貼り付け材の形状としては、例えば正方形、長方形及び円形が挙げられる。
【００７５】
本発明の貼り付け材は、パップ剤やテープ剤（プラスター剤）などの消炎鎮痛用の外用剤（以下、「貼付剤ともいう。」）として、創傷被覆用の創傷被覆材として用いられる。
【００７６】
＜貼付剤＞
以下、本発明の貼り付け材を、パップ剤やテープ剤（プラスター剤）などの医療用の貼付剤として用いる実施形態について詳細に説明する。
本実施形態の貼付剤としては、伸縮性不織布を含む基材層と、膏体層とを有することが好ましく、伸縮性不織布を含む基材層と、膏体層と、剥離層とをこの順で有することがより好ましい。
本実施形態の貼付剤は、基材層に伸縮性があるため、密着性に優れ、使用感に優れる。また、本実施形態の貼付剤は、装着部位の動きに追従して伸縮できるため、意図せぬ剥離が生じにくい。
【００７７】
本実施形態の貼付剤における膏体層は、粘着剤及び薬剤を含むことが好ましく、粘着付与剤、吸収促進剤、抗酸化剤、充填剤、架橋剤、防腐剤、紫外線吸収剤、界面活性剤、ｐＨ調整剤、色素及び香料などの添加剤を含んでいてもよい。
【００７８】
粘着剤としては、例えば、アクリル系共重合体、メタクリル系共重合体などのアクリル系粘着剤や、スチレン−イソプレン−スチレンブロック共重合体、スチレン−ブタジエン−スチレンブロック共重合体、ポリイソプレン、ポリイソブチレン、ポリブタジエンなどのゴム系粘着剤や、シリコーンゴム、ジメチルシロキサンベース、ジフェニルシロキサンベースなどのシリコーン系粘着剤や、ポリビニルメチルエーテル、ポリビニルエチルエーテル、ポリビニルイソブチルエーテルなどのビニルエーテル系粘着剤や、酢酸ビニル−エチレン共重合体などのビニルエステル系粘着剤や、ジメチルテレフタレート、ジメチルイソフタレート、ジメチルフタレートなどのカルボン酸成分とエチレングリコールなどの多価アルコール成分からなるポリエステル系粘着剤が挙げられる。
【００７９】
薬剤としては、例えば、冷感剤、温感剤、消炎鎮痛剤、抗炎症剤、血管拡張剤、不整脈用剤、血圧降下剤、鎮該去痰剤、抗悪性腫瘍剤、局所麻酔剤、ホルモン剤、抗ヒスタミン剤などの公知の薬剤が挙げられる。
【００８０】
剥離層は、膏体層を被覆して保護するための層であり、使用時に剥離される。剥離層の材質は、無延伸ポリプロピレン（ＣＰＰ）、延伸ポリプロピレン（ＯＰＰ）、ポリエチレンテレフタレート（ＰＥＴ）、ポリブチレンテレフタレート（ＰＢＴ）、ポリエチレン、ポリエステル、ポリウレタン、ポリ塩化ビニル及びポリスチレンなどのプラスチックフィルム、合成樹脂、合成紙及び合成繊維などのシリコーン加工したシリコーン加工紙、アルミ箔、クラフト紙にポリエチレンなどをラミネートしたラミネート加工紙などが挙げられる。
【００８１】
＜創傷被覆材＞
以下、本発明の貼り付け材を、創傷被覆材として用いる実施形態について詳細に説明する。
本実施形態の創傷被覆材としては、伸縮性不織布を含む基材層と、粘着層と、パッドを有することが好ましく、伸縮性不織布を含む基材層と、粘着層と、パッドと、剥離層とを有することがより好ましく、伸縮性不織布を含む基材層と、粘着層と、パッドと、剥離層とをこの順で有することが更に好ましい。
本実施形態の創傷被覆材は、基材層に伸縮性があるため、密着性に優れ、使用感に優れる。また、本実施形態の創傷被覆材は、装着部位の動きに追従して伸縮できるため、意図せぬ剥離が生じにくい。
【００８２】
本実施形態の創傷被覆材における粘着層は、粘着剤を含む。粘着剤としては、前述の貼付剤における粘着剤と同様の粘着剤が挙げられる。
【００８３】
本実施形態の創傷被覆材におけるパッドは、創傷被覆材を平面視した際の粘着層の略中央位置に配置され、全周囲には粘着層が形成されている。
パッドの材質としては、例えば綿布、綿不織布、ガーゼ、ハイドロコロイド材、ハイドロゲル、ポリウレタン発泡体、吸水性高分子が挙げられる。
【００８４】
剥離層は、粘着層及び保護層を被覆して保護するための層であり、使用時に剥離される。
剥離層の材質としては、前述の貼付剤における剥離層の材質と同様の材質が挙げられる。
【符号の説明】
【００８５】
１０、２０、３０  アイマスク
１１、２１、３１  アイマスクの本体部
１２、２２、３２  アイマスクの耳掛け部
１３、２３、３３  アイマスクの耳掛け部の切り込み
４０、５０、６０、７０  フェイスマスク
４１、５１、６１、７１  フェイスマスクの本体部
４２、５２、６２、７２  眼部
４３、５３、６３、７３  口部
５４、６４、７４  フェイスマスクの耳掛け部
８０、９０、１００、１１０、１２０  装着材
８１、９１、１０１、１１１、１２１  基材層
８２、９２、１０２、１１２、１２２  機能性層
１０３、１２４  人体の腰部
１１３、１２３  固定部
【図１】
2019047910.tif 000003
【図２】
2019047910.tif 000004
【図３】
2019047910.tif 000005
【図４ａ】
2019047910.tif 000006
【図４ｂ】
2019047910.tif 000007
【図５】
2019047910.tif 000008
【図６】
2019047910.tif 000009
【図７ａ】
2019047910.tif 000010
【図７ｂ】
2019047910.tif 000011
【図７ｃ】
2019047910.tif 000012
【図８ａ】
2019047910.tif 000013
【図８ｂ】
2019047910.tif 000014